(57)【要約】【課題】フラットケーブルに引張りや横方向のひねり等の外力がかかっても、クリンプ片による接続箇所でフラット導体に亀裂が入って破断に至ることのないフラットケーブル用コネクタを得ることにある。【解決手段】接続端子８を収容するための端子収容室１４をコネクタハウジング１１内に設ける。この端子収容室１４内にはリテーナ１９を挿入する。リテーナ１９には、接続端子８に接続しているフラットケーブル３の一部をコネクタハウジング１１と挟持して押さえるケーブル押え部１９ａと、接続端子８の末端の保持片７を押さえる段差部１９ｂとを設ける。【選択図】　図３
2004022296.tif 000002
【特許請求の範囲】
【請求項１】
接続端子を収容するための端子収容室がコネクタハウジング内に設けられ、前記端子収容室の前部口と後部口とが前記コネクタハウジングの前後に開口させられ、前記端子収容室内には前記後部口からリテーナが挿入され、前記リテーナには前記接続端子に接続されているフラットケーブルの一部を前記コネクタハウジングと挟持して押さえるケーブル押え部と前記接続端子の末端で前記フラットケーブルを把持している保持片を押さえる段差部とが設けられていることを特徴とするフラットケーブル用コネクタ。
【請求項２】
接続端子を収容するための端子収容室がコネクタハウジング内に設けられ、前記端子収容室の前部口と後部口とが前記コネクタハウジングの前後に開口させられ、前記端子収容室内には前記後部口から前記接続端子が収容され、前記接続端子はその端子板部の幅方向の両側に突設された複数のクリンプ片をフラットケーブルに突き刺して該フラットケーブルの内部のフラット導体に導通接続した状態でこれらクリンプ片を曲げて加締めると共に該端子板部の末端の幅方向の両端側に設けた１対の保持片で前記フラットケーブルを把持して該フラットケーブルに接続され、前記端子収容室内には前記後部口からリテーナが挿入され、前記リテーナには前記接続端子に接続されている前記フラットケーブルの一部を前記コネクタハウジングと挟持して押さえるケーブル押え部と前記接続端子の末端の前記保持片を押さえる段差部とが設けられていることを特徴とするコネクタ付きフラットケーブル。
【発明の詳細な説明】
【０００１】
【発明の属する技術分野】
本発明は、フラットケーブル用コネクタ及びコネクタ付きフラットケーブルに関するものである。
【０００２】
【従来の技術】
電気機器や自動車等の電気配線に、図４乃至図６に示すように、平行に並設された銅やアルミニュウム等の帯状導体よりなる例えば厚さが０．１５ｍｍ，幅が１．５　ｍｍ〜３ｍｍ程度の複数のフラット導体１を、ポリエチレンテレフタレートの如きプラスチックよりなるフラット絶縁被覆２で一括して被覆したフラットケーブル３が用いられるようになってきている。
【０００３】
このようなフラットケーブル３の末端には、例えば雌形端子本体４に連接された端子板部５の幅方向の両側に複数のクリンプ片６と１対の保持片７とを、端子板部５の長手方向に位置を違え、保持片７側が末端になるように立設した構造の接続端子８を接続している。即ち、接続端子８は、フラットケーブル３の末端のフラット導体１の箇所で、各クリンプ片６をフラットケーブル３に突き刺してフラット導体１に導通接続した状態でこれらクリンプ片６を曲げて加締めると共に端子板部５の末端の１対の保持片７でフラットケーブル３を把持することにより端子接続部９を形成して接続を行っている。このように接続端子８の接続は、各フラット導体１毎に行っている。フラットケーブル３の先端では、端子接続部９の間のフラット絶縁被覆２に切離し部１０を設けて切離している。
【０００４】
このようにフラットケーブル３に接続された接続端子８は、コネクタハウジング１１内に収容されている。即ち、この接続端子８を収容するための端子収容室１４がコネクタハウジング１１内に設けられ、該端子収容室１４の前部口１２と後部口１３とがコネクタハウジング１１の前後に開口させられている。端子収容室１４内には，後部口１３から接続端子８が収容され、係止手段１５で係止されている。係止手段１５は、接続端子８から立設したランス１５ａをコネクタハウジング１１の段部１５ｂで係止させた構造になっている。コネクタハウジング１１には、図示しない相手コネクタハウジングに嵌合したときにハウジング同士が結合されるように、このコネクタハウジング１１に折り返し形に立設された弾性アーム１６に係止突起１７を突設している。
【０００５】
【発明が解決しようとする課題】
電気機器や自動車等の電気配線に使用されるフラットケーブル３は、スペースファクタが良いだけに、かなり狭隘な場所で配線されたり、コネクタ結合が行われたりすることが多く、配線場所によっては相当の曲げ、引張り、ひねりといったような過酷な外力がかかる使われ方がなされている。特に、その影響は、接続端子８の端子接続部９に顕著で、フラットケーブル３への接続には極めて小型の接続端子８が使用され、その端子接続部９に僅かな引張りや横方向のひねり等の外力がかかっても、クリンプ片６による接続箇所でフラット導体１に亀裂を起こし、やがてフラット導体１の破断に至るというような問題点が生じている。
【０００６】
本発明の目的は、フラットケーブルに端子接続部で接続された接続端子がコネクタハウジングに収納された状態で、このフラットケーブルに引張りや横方向のひねり等の外力がかかっても、クリンプ片による接続箇所でフラット導体に亀裂が入って破断に至ることのないフラットケーブル用コネクタ及びコネクタ付きフラットケーブルを提供することにある。
【０００７】
【課題を解決するための手段】
本発明に係るフラットケーブル用コネクタは、接続端子を収容するための端子収容室がコネクタハウジング内に設けられ、端子収容室の前部口と後部口とがコネクタハウジングの前後に開口させられ、端子収容室内には後部口からリテーナが挿入され、リテーナには接続端子に接続されているフラットケーブルの一部をコネクタハウジングと挟持して押さえるケーブル押え部と接続端子の末端でフラットケーブルを把持している保持片を押さえる段差部とが設けられていることを特徴とする。
【０００８】
また、本発明に係るコネクタ付きフラットケーブルは、接続端子を収容するための端子収容室がコネクタハウジング内に設けられ、端子収容室の前部口と後部口とがコネクタハウジングの前後に開口させられ、該端子収容室内には後部口から接続端子が収容され、接続端子はその端子板部の幅方向の両側に突設された複数のクリンプ片をフラットケーブルに突き刺して該フラットケーブルの内部のフラット導体に導通接続した状態でこれらクリンプ片を曲げて加締めると共に該端子板部の末端の幅方向の両端側に設けた１対の保持片でフラットケーブルを把持して該フラットケーブルに接続され、端子収容室内には後部口からリテーナが挿入され、リテーナには接続端子に接続されているフラットケーブルの一部をコネクタハウジングと挟持して押さえるケーブル押え部と接続端子の末端の保持片を押さえる段差部とが設けられていることを特徴とする。
【０００９】
このようなフラットケーブル用コネクタ及びコネクタ付きフラットケーブルでは、コネクタハウジングの外に出ているフラットケーブルに曲げ、引張り、ひねりといった外力が作用しても、リテーナのケーブル押え部とコネクタハウジングとでフラットケーブルの一部を挟持し且つ端子接続部の末端の保持片をリテーナの段差部に引っ掛けて保持しているので、外力がクリンプ片による接続箇所に及ばず、クリンプ片による接続箇所でフラット導体に亀裂が入って破断に至るのを防止することができる。
【００１０】
【発明の実施の形態】
図１乃至図３は本発明に係るコネクタ付きフラットケーブルの実施の形態の一例を示したもので、図１は本例のコネクタ付きフラットケーブルの正面図、図２は本例のコネクタ付きフラットケーブルの縦断面図、図３は図２の要部の拡大図である。なお、前述した図４乃至図６と対応する部分には、同一符号を付けて示している。
【００１１】
本例のフラットケーブル用コネクタ１８では、接続端子８を収容するための端子収容室１４がコネクタハウジング１１内に設けられている。端子収容室１４の前部口１２と後部口１３とがコネクタハウジング１１の前後に開口させられている。該端子収容室１４内には、後部口１３から収容される接続端子８を係止するための係止手段１５の段部１５ｂが設けられている。端子収容室１４内には、後部口１３からリテーナ１９が挿入されている。リテーナ１９は、コネクタハウジング１１に係止手段２０で係止されている。係止手段２０は、コネクタハウジング１１に突設された突起２０ａに、リテーナ１９の係止フック２０ｂを引っ掛けて構成されている。リテーナ１９には、接続端子８に接続されているフラットケーブル３の一部をコネクタハウジング１１と挟持して押さえるケーブル押え部１９ａと、接続端子８の末端でフラットケーブル３を把持している保持片７を押さえる段差部１９ｂとが設けられている。
【００１２】
次に、本例のコネクタ付きフラットケーブルの構成につき説明する。接続端子８を収容するための端子収容室１４がコネクタハウジング１１内に設けられている。この端子収容室１４の前部口１２と後部口１３とがコネクタハウジング１１の前後に開口させられている。該端子収容室１４内には、後部口１３から接続端子８が収容されて係止手段１５で係止されている。係止手段１５は、端子本体４に設けられたランス１５ａをコネクタハウジング１１の段部１５ｂで係止する構造になっている。接続端子８は、図４に示したように、その端子板部５の幅方向の両側に突設された複数のクリンプ片６をフラットケーブル３に突き刺して該フラットケーブル３の内部のフラット導体１に導通接続した状態でこれらクリンプ片６を曲げて加締めると共に該端子板部５の末端の幅方向の両端側に設けた１対の保持片７でフラットケーブル３を把持して該フラットケーブル３に接続されている。端子収容室１４内には、後部口１３からリテーナ１９が挿入されている。リテーナ１９は、コネクタハウジング１１に係止手段２０で係止されている。係止手段２０は、コネクタハウジング１１に突設された突起２０ａに、リテーナ１９の係止フック２０ｂを引っ掛けて係止することにより構成されている。リテーナ１９には、接続端子８に接続されているフラットケーブル３の一部をコネクタハウジング１１と挟持して押さえるケーブル押え部１９ａと、接続端子８の末端の保持片７を押さえる段差部１９ｂとが設けられている。
【００１３】
このようなフラットケーブル用コネクタ及びコネクタ付きフラットケーブルでは、コネクタハウジング１１の外に出ているフラットケーブル３に曲げ、引張り、ひねりといった外力が作用しても、リテーナ１９のケーブル押え部１９ａとコネクタハウジング１１とでフラットケーブル３の一部を挟持し且つ端子接続部９の末端の１対の保持片７をリテーナ１９の段差部１９ｂに引っ掛けて保持しているので、外力がクリンプ片６による接続箇所に及ばず、クリンプ片６による接続箇所でフラット導体１に亀裂が入って破断に至るのを防止することができる。この場合、１対の保持片７によるフラットケーブル３の把持箇所では、フラットケーブル３に保持片７を突き刺しておらず、これら保持片７でフラットケーブル３の幅方向の端部を把持しているので、これら保持片７を段差部１９ｂで引っ掛けて保持してもフラットケーブル３やフラット導体１に亀裂が入ることはない。また、フラットケーブル３に作用する引張り力で接続端子８の係止手段１５のランス１５ａが破損されるのも防止することができる。
【００１４】
上記例では接続端子８を係止手段１５でコネクタハウジング１１に係止したが、この係止手段１５を備えていないタイプのものにも、本発明を適用することができる。
【００１５】
また、上記例ではリテーナ１９を係止手段２０でコネクタハウジング１１に係止したが、この係止手段２０を備えていないタイプのものにも、本発明を適用することができる。
【００１６】
【発明の効果】
本発明に係るフラットケーブル用コネクタ及びコネクタ付きフラットケーブルでは、コネクタハウジングの外に出ているフラットケーブルに曲げ、引張り、ひねりといった外力が作用しても、リテーナのケーブル押え部とコネクタハウジングとでフラットケーブルの一部を挟持し且つ端子接続部の末端の１対の保持片によるフラットケーブル把持箇所をリテーナの段差部に引っ掛けて保持しているので、外力がクリンプ片による接続箇所に及ばず、クリンプ片による接続箇所でフラット導体に亀裂が入って破断に至るのを防止することができる。
【図面の簡単な説明】
【図１】本発明に係るコネクタ付きフラットケーブルの実施の形態の一例の正面図である。
【図２】本発明に係るコネクタ付きフラットケーブルの実施の形態の一例の縦断面図である。
【図３】図２の要部の拡大図である。
【図４】従来と本発明とで用いている接続端子の斜視図である。
【図５】従来のコネクタ付きフラットケーブルの縦断面図である。
【図６】従来と本発明とで用いているフラットケーブルに接続端子を接続した状態の斜視図である。
【符号の説明】
１　フラット導体
２　フラット絶縁被覆
３　フラットケーブル
４　端子本体
５　端子板部
６　クリンプ片
７　保持片
８　接続端子
９　端子接続部
１０　切離し部
１１　コネクタハウジング
１２　前部口
１３　後部口
１４　端子収容室
１５　係止手段
１５ａ　ランス
１５ｂ　段部
１６　弾性アーム
１７　係止突起
１８　フラットケーブル用コネクタ
１９　リテーナ
１９ａ　ケーブル押え部
１９ｂ　段差部
１９ｃ　スリット
２０　係止手段
２０ａ　突起
２０ｂ　係止フック
【図１】
2004022296.tif 000003
【図２】
2004022296.tif 000004
【図３】
2004022296.tif 000005
【図４】
2004022296.tif 000006
【図５】
2004022296.tif 000007
【図６】
2004022296.tif 000008